(57)【要約】      （修正有）【課題】既存の骨格型のボックスパレットの上に、ボックスパレットを段積みすることができるとともに、水平移動を阻止する。【解決手段】パレット部材１と、相対する一方の側壁部材２と、相対するもう一方の側壁部材３とからなるボックスパレットＢにおいて、側部桁の長手方向に沿った長辺側の外側垂直面と、側部桁の短辺方向に沿った短辺側の外側垂直面とにより形成される角部に、既存の骨格型のボックスパレットＢ’に形成された段積み用受け具４’が嵌合される切欠部Ｃを形成した。【選択図】図４
2014162551.tif 000002
【特許請求の範囲】
【請求項１】
パレット部材と、相対する一方の側壁部材と、相対するもう一方の側壁部材とからなるボックスパレットにおいて、側部桁の長手方向に沿った長辺側の外側垂直面と、側部桁の短辺方向に沿った短辺側の外側垂直面とにより形成される角部に、ボックスパレットに形成された段積み用受け具が嵌合される切欠部が形成されていることを特徴とするボックスパレット。
【請求項２】
ボックスパレットに形成された段積み用受け具が嵌合される側部桁の切欠部付近の角部付近に位置するリブ構造内には、角部区画室が形成されており、角部区画室内には、区画対角リブが形成されていることを特徴とする請求項１に記載のボックスパレット。
【請求項３】
角部区画室内には、土手部の外壁に垂直で、且つ、区画対角リブまで達しない補助リブが形成されていることを特徴とする請求項１又は請求項２に記載のボックスパレット。
【発明の詳細な説明】
【技術分野】
【０００１】
本発明は、フォーク挿入口が形成されているパレット部材と側壁部材とからなるボックスパレットに関するものである。
【背景技術】
【０００２】
従来、フォーク挿入口が形成されているパレット部材と、箱型に組み立てられた状態の垂直状態の一方の相対する側壁部材を、引き抜くことにより、パレット部材から取り外すことが可能な一方の相対する側壁部材と、一方の相対する側壁部材が取り外された後に、パレット部材にヒンジ連結された、もう一方の相対する側壁部材をパレット部材に重なるように倒し、その後、一方の相対する側壁部材を、倒されたもう一方の相対する側壁部材に重ねることにより、ボックスパレットの一方の相対する側壁部材及びもう一方の相対する側壁部材を、折り畳むことができるように構成されたボックスパレットが、一例として、特許文献１に開示されている。
【先行技術文献】
【特許文献】
【０００３】
【特許文献１】特開２０１２−１９２９３８号公報
【発明の概要】
【発明が解決しようとする課題】
【０００４】
図７に示されているように、パレット部材１’と、パレット部材１’の４つの角部に立設された角部支柱２’と、角部支柱２’の上端部を連結する水平バー３’等からなるボックスパレットＢ’が知られている。このような、ボックスパレットＢ’を構成する水平バー３’の角部には、平面形状がＬ字状のずれ防止用受け具４’が取り付けられており、また、ずれ防止用受け具４’は、上端角部を形成する隣接する２本の水平バー３’の端部に跨がるように取り付けられている。以下、便宜的に、このようなボックスパレットＢ’を、骨格型のボックスパレットと称する。
【０００５】
上述した骨格型のボックスパレットＢ’に、特許文献１に開示されているようなボックスパレットを段積みする際には、特許文献１に開示されているボックスパレットのパレット部材には、下に位置する骨格型のボックスパレットＢ’に形成されている段積み用受け具４’が嵌合される嵌合部が形成されていないために、下に位置する骨格型のボックスパレットＢ’に、特許文献１に開示されているようなボックスパレットを段積みすることができないという問題があった。
【０００６】
また、骨格型のボックスパレットＢ’に、特許文献１に開示されているようなボックスパレットを段積みする際には、特許文献１に開示されているボックスパレットのパレット部材に、単に、骨格型のボックスパレットＢ’に形成されている段積み用受け具４’が嵌合される切欠部を形成しただけでは、特許文献１に開示されているボックスパレットのパレット部材の角部に、負荷が集中するために、特許文献１に開示されているボックスパレットのパレット部材の角部が損傷するという問題があった。
【０００７】
本発明の目的は、上述した従来のボックスパレットが有する課題を解決することにある。
【課題を解決するための手段】
【０００８】
本発明は、上述した目的を達成するために、パレット部材と、相対する一方の側壁部材と、相対するもう一方の側壁部材とからなるボックスパレットにおいて、第１には、側部桁の長手方向に沿った長辺側の外側垂直面と、側部桁の短辺方向に沿った短辺側の外側垂直面とにより形成される角部に、ボックスパレットに形成された段積み用受け具が嵌合される切欠部を形成したものであり、第２には、ボックスパレットに形成された段積み用受け具が嵌合される側部桁の切欠部付近の角部付近に位置するリブ構造には、角部区画室が形成されており、角部区画室内に、区画対角リブを形成したものであり、第３には、角部区画室内に、土手部の外壁に垂直で、且つ、区画対角リブまで達しない補助リブを形成したものである。
【発明の効果】
【０００９】
パレット部材と、相対する一方の側壁部材と、相対するもう一方の側壁部材とからなるボックスパレットにおいて、側部桁の長手方向に沿った長辺側の外側垂直面と、側部桁の短辺方向に沿った短辺側の外側垂直面とにより形成される角部に、ボックスパレットに形成された段積み用受け具が嵌合される切欠部を形成したので、既存のボックスパレットの上に、発明のボックスパレットを段積みすることができるとともに、発明のボックスパレットの水平移動を阻止することができる。
【００１０】
ボックスパレットに形成された段積み用受け具が嵌合される側部桁の切欠部付近の角部付近に位置するリブ構造には、角部区画室が形成されており、角部区画室内に、区画対角リブを形成したので、側部桁の角部の強度や剛性を向上させることができ、ひいては、パレット部材の強度や剛性を向上させることができる。
【００１１】
角部区画室内に、土手部の外壁に垂直で、且つ、区画対角リブまで達しない補助リブを形成したので、側部桁の角部の強度や剛性を更に向上させることができ、ひいては、パレット部材の強度や剛性を更に向上させることができる。
【図面の簡単な説明】
【００１２】
【図１】図１は、本発明のボックスパレットの斜視図である。
【図２】図２は、本発明のボックスパレットを構成するパレット部材の斜視図である。
【図３】図３は、本発明のボックスパレットを構成するパレット部材の部分拡大斜視図である。
【図４】図４は、本発明のボックスパレットは、骨格型のボックスパレットに段積みされた状態の斜視図である。
【図５】図５は、本発明のボックスパレットは、骨格型のボックスパレットに段積みされた状態の部分拡大斜視図である。
【図６】図６は、ボックスパレットを構成するパレット部材の部分拡大水平断面図である。
【図７】図７は、骨格型のボックスパレットの斜視図である。
【実施例】
【００１３】
以下に、本発明の実施例について説明するが、本発明の趣旨を越えない限り、何ら、本発明の実施例に限定されるものではない。
【００１４】
図１において、Ｂは、ボックスパレットであり、ボックスパレットＢは、特許文献１に記載されているように、パレット部材１と、箱型に組み立てられた状態から、上方に引く抜くことができる、相対する一方の側壁部材２と、パレット部材１に重なるように、パレット部材１にヒンジ連結された相対するもう一方の側壁部材３とから構成されている。
【００１５】
パレット部材１は、パレット部材１の相対する一方の辺部に形成された土手部１ａと、パレット部材１の相対するもう一方の辺部に形成された土手部１ｂとを有しており、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１６】
図１に示されているように、ボックスパレットＢのパレット部材１の裏面には、相対する低部土手部１ｂに沿って、側部桁１ｃが形成されており、また、相対する側部桁１ｃの中間部には、側部桁１ｃと平行な中間桁１ｄが形成されている。パレット部材１の裏面に形成された側部桁１ｃと中間桁１ｄとの間に、フォーク挿入部１ｅが形成されている。
【００１７】
側部桁１ｃには、骨格型のボックスパレットＢ’を構成する、隣接する２本の水平バー３’の端部に跨がるように取り付けられた段積み用受け具４’が嵌合される切欠部Ｃが形成されている。
【００１８】
側部桁１ｃの長手方向に沿った長辺側の外側垂直面１ｂ１と、側部桁１ｃの短辺方向に沿った短辺側の外側垂直面１ｂ２とにより形成される角部に、上述した骨格型のボックスパレットＢ’に形成された段積み用受け具４’が嵌合される切欠部Ｃが形成されている。切欠部Ｃは、長辺側の外側垂直面１ｂ１と短辺側の外側垂直面１ｂ２とにより形成されるパレット部材１の角部１ｆに、該角部１ｆ挟んで位置する長辺側の外側垂直面１ｂ１と短辺側の外側垂直面１ｂ２とに跨がって、平面形状がＬ字状のずれ防止用受け具４’に対応してＬ字状に形成されている。切欠部Ｃは、下部と側部が開放された裏面形状が、Ｌ字状に形成されている。
【００１９】
図４及び図５に示されているように、骨格型のボックスパレットＢ’の水平バー３’の上端面に、ボックスパレットＢのパレット部材１を載置した際には、上方に位置する骨格型のボックスパレットＢ’の水平バー３’の角部に取り付けられた平面形状がＬ字状のずれ防止用受け具４’の上部が、上方に位置するボックスパレットＢのパレット部材１を構成する側部桁１ｃの長辺側の外側垂直面１ｂ１と短辺側の外側垂直面１ｂ２とにより形成される角部１ｆに形成されたＬ字状の切欠部Ｃに嵌合されるように構成されている。
【００２０】
図６には、ボックスパレットＢのパレット部材１の部分拡大水平断面が示されている。パレット部材１の内部は、相対する高部土手部１ａに平行な多数のリブ４ａと、相対する低部土手部１ｂに平行な多数のリブ４ｂとからなるリブ構造４として形成されている。
【００２１】
パレット部材１の内部に形成されたリブ構造４のうち、パレット部材１の長辺側の外側垂直面１ｂ１と短辺側の外側垂直面１ｂ２とにより形成されるパレット部材１の角部１ｆに形成された切欠部Ｃ付近には、側部桁１ｃの長辺側の外側垂直面１ｂ１に平行なリブ、換言すれば、低部土手部１ｂに平行なリブ５ａと、側部桁１ｃの短辺側の外側垂直面１ｂ２に平行なリブ、換言すれば、高部土手部１ａに平行なリブ５ｂと、高部土手部１ａの外壁と、低部土手部１ｂの外壁とにより囲まれた角部区画室５が形成されている。
【００２２】
パレット部材１の内部に形成されたリブ構造４のうち、側部桁１ｃの角部１ｆに形成された角部区画室５内には、側部桁１ｃの長辺側の外側垂直面１ｂ１に平行なリブ５ａと側部桁１ｃの短辺側の外側垂直面１ｂ２に平行なリブ５ｂとの接点部５ｃとパレット部材１の角部１ｆとの間を連結する区画対角リブ５ｄが形成されている。このような区画対角リブ５ｄを、角部区画室５内に形成することにより、側部桁１ｃの角部ｆ１の強度や剛性を向上させることができ、ひいては、パレット部材１の強度や剛性を向上させることができる。
【００２３】
また、角部区画室５内には、低部土手部１ｂの外壁に垂直で、且つ、区画対角リブ５ｄまで達しない補助リブ５ｅ１が形成されており、更に、角部区画室５内には、高部土手部１ａの外壁に垂直で、且つ、区画対角リブ５ｄまで達しない補助リブ５ｅ２が形成されている。このような補助リブ５ｅ１、５ｅ２を形成することにより、側部桁１ｃの角部ｆ１の強度や剛性を更に向上させることができ、ひいては、パレット部材１の強度や剛性を更に向上させることができる。
【００２４】
なお、上述した実施例においては、水平バー３’の角部に、平面形状がＬ字状のずれ防止用受け具４’が形成されている骨格型のボックスパレットＢ’の例が示されているが、角部に、平面形状がＬ字状のずれ防止用受け具４’が形成されていれば、骨格型のボックスパレットＢ’に限らず、どのようなボックスパレットに、本発明を適用することができる。
【符号の説明】
【００２５】
Ｂ・・・・・・・・・・・ボックスパレット
Ｃ・・・・・・・・・・・切欠部
１・・・・・・・・・・・パレット部材
１ａ・・・・・・・・・・高部土手部
１ｂ・・・・・・・・・・低部土手部
２、３・・・・・・・・・側壁部材
４・・・・・・・・・・・リブ構造
４’・・・・・・・・・・ずれ防止用受け具
５・・・・・・・・・・・角部区画室
５ｄ・・・・・・・・・・区画対角リブ
５ｅ１、５ｅ２・・・・・補助対角リブ
【図１】
2014162551.tif 000003
【図２】
2014162551.tif 000004
【図３】
2014162551.tif 000005
【図４】
2014162551.tif 000006
【図５】
2014162551.tif 000007
【図６】
2014162551.tif 000008
【図７】
2014162551.tif 000009